Podtech/llm-jp-corpus-v4-ja_patent huggingface dataset:
(57)【要約】【課題】傘の取り間違えや置き忘れを防止することができる傘立てを提供する。【解決手段】傘立て１は、傘を挿入する挿入部２と、机の脚に対して取り付ける取付部３と、挿入部２と取付部３とを連結する連結部４とを備えている。挿入部２の内側には、吸水スポンジ部材２ａが設けられている。取付部３は、机の脚を挟むように第１部材３ａと第２部材３ｂとを対向するように有しており、第１部材３ａと第２部材３ｂとの対向面の少なくとも一部にはゴムが設けられている。【選択図】図１
0003169910.tif 000002
【実用新案登録請求の範囲】
【請求項１】
傘を挿入する挿入部と、机の脚に対して取り付ける取付部と、前記挿入部と前記取付部とを連結する連結部とを備え、
前記挿入部の内側には、吸水スポンジ部材が設けられ、
前記取付部は、机の脚を挟むように第１部材と第２部材とを対向するように有し、前記第１部材と前記第２部材との対向面の少なくとも一部には、ゴムが設けられた
ことを特徴とする傘立て。
【考案の詳細な説明】
【技術分野】
【０００１】
本考案は、机の脚に取り付けて使用する傘立てに関する。
【背景技術】
【０００２】
一般に、学校などの施設に設置されている傘立てでは、複数の傘を立てられるものであり、例えば、ビニル傘などが複数置かれていると、他人の傘を間違えて持って帰ってしまうという問題があった。また、傘を置き忘れてしまうという問題もあった。よって傘の取り間違えや置き忘れを防止することができる傘立ての開発が望まれていた。なお、特許文献１には、複数の傘を立てられる傘立てが記載されている。
【先行技術文献】
【特許文献】
【０００３】
【特許文献１】特開２０００−５１０４８号公報
【考案の概要】
【考案が解決しようとする課題】
【０００４】
本考案は、このような問題に基づきなされたものであり、傘の取り間違えや置き忘れを防止することができる傘立てを提供することを目的とする。
【課題を解決するための手段】
【０００５】
本考案の傘立ては、傘を挿入する挿入部と、机の脚に対して取り付ける取付部と、挿入部と取付部とを連結する連結部とを備え、挿入部の内側には、吸水スポンジ部材が設けられ、取付部は、机の脚を挟むように第１部材と第２部材とを対向するように有し、第１部材と第２部材との対向面の少なくとも一部には、ゴムが設けられたものである。
【考案の効果】
【０００６】
本考案の傘立てによれば、挿入部と取付部と連結部とを備えるようにしたので、例えば、各個人の机の脚に取付部を取り付けることができると共に、傘を挿入することができるので、傘の取り間違えや置き忘れを防止することができる。また、挿入部の内側に吸水スポンジ部材を設けるようにしたので、濡れた傘の水分を吸収することができる。更に、第１部材と第２部材との対抗面の少なくとも一部にゴムを設けるようにしたので、机の脚と取付部との間の滑りを抑制することができる。
【図面の簡単な説明】
【０００７】
【図１】本発明の一実施の形態に係る傘立ての構成を表す図である。
【図２】図１の傘立ての使用状態を表す図である。
【考案を実施するための形態】
【０００８】
以下、本考案の実施の形態について、図面を参照して詳細に説明する。
【０００９】
図１は、本考案の一実施の形態に係る傘立て１の構成を表すものであり、（Ａ）は上から見た構成を表し、（Ｂ）は横から見た構成を表し、（Ｃ）はＩ−Ｉ線に沿った断面構成を表している。この傘立て１は、例えば、学校の机に取り付けて使用するものであり、傘を挿入する挿入部２と、机の脚に対して取り付ける取付部３と、挿入部２と取付部３とを連結する連結部４とを有している。
【００１０】
挿入部２は、例えば、円筒状に形成されており、高さ方向に切り込みが形成されていてもよい。挿入部２が円筒状の場合には、その直径が３ｃｍ以上８ｃｍ以下とすることが好ましい。挿入部２の内側には、少なくとも一部に、吸水スポンジ部材２ａが設けれていることが好ましく、全面に設けられていることがより好ましい。傘を挿入した際に、雨水を吸収することができ、床が濡れてしまうのを防ぐことができるからである。吸水スポンジ部材２ａは、速乾性があるものがより好ましい。挿入部２は、例えば、プラスチックや金属で形成されている。
【００１１】
取付部３は、机の脚を挟むように第１部材３ａと第２部材３ｂとを対向するように有している。第１部材３ａおよび第２部材３ｂは、例えば、一端がそれぞれ連結部４と結合されており、机の脚を囲むように一端から他端に向かって湾曲して形成され、他端部には、外側に向かってに突出した突出部３ｃ，３ｄがそれぞれ形成されている。第１部材３ａと第２部材３ｂとの対向面の少なくとも一部には、滑り止めのゴム３ｅが設けられている。ゴム３ｅは、第１部材３ａおよび第２部材３ｂの一端から他端に向かって伸長されて帯状に複数形成されていることが好ましい。取付部３は、例えば、プラスチックや金属により形成されている。
【００１２】
連結部４の長さ（挿入部２と取付部３との距離）Ｌは、１０ｃｍ以上１５ｃｍ以下とすることが好ましい。短いと、例えば、机に接触してしまい、長いと、例えば、場所を占有してしまうからである。連結部４は、例えば、プラスチックや金属により形成されている。
【００１３】
図２は、傘立て１の使用状態を表すものである。この傘立て１は、例えば、次のように使用できる。まず、取付部３の突出部３ｃ，３ｄをそれぞれ離れる方向に開いて机の脚Ｍ１を通し、第１部材３ａおよび第２部材３ｂとで挟み込むことにより、傘立て１を取り付ける。続いて、畳んだ傘Ｍ２を挿入部２に挿入する。その際、ゴム３ｅが設けられているので、机の脚Ｍ１と取付部３との間の滑りが抑制される。また、挿入部２の内側に、吸水スポンジ部材２ａが設けれているので、傘Ｍ２についた水分が吸水スポンジ部材２ａに吸収される。なお、傘Ｍ２は、折畳式のものでも、そうでなくても、どのようなものであってもよい。
【００１４】
このように本実施の形態の傘立て１によれば、挿入部２と取付部３と連結部４とを備えるようにしたので、例えば、各個人の机の脚に取付部３を取り付けることができると共に、傘を挿入することができるので、傘の取り間違えや置き忘れを防止することができる。
また、挿入部２の内側に吸水スポンジ部材２ａを設けるようにしたので、濡れた傘の水分を吸収することができ、衣服や他の持ち物が濡れることを抑制することができる。更に、第１部材３ａと第２部材３ｂとの対向面の少なくとも一部にゴム３ｅを設けるようにしたので、机の脚Ｍ１と取付部３との間の滑りを抑制することができる。
【００１５】
以上、実施の形態を挙げて本考案を説明したが、本考案は上記実施の形態に限定されるものではなく、種々変形可能である。例えば、上記実施の形態では、机の脚Ｍ１が円筒状の場合について説明したが、他の形状を有する場合にも使用することができる。その場合には、例えば、第１部材３ａおよび第２部材３ｂの形状を机の脚Ｍ１に合わせた形状にすればよい。
【産業上の利用可能性】
【００１６】
傘立てとして使用することができる
【符号の説明】
【００１７】
１…傘立て、２…挿入部、２ａ…吸水スポンジ部材、３…取付部、３ａ…第１部材、３ｂ…第２部材、３ｃ，３ｄ…突出部、３ｅ…ゴム、４…連結部、Ｍ１…机の脚、Ｍ２…傘
【図１】
0003169910.tif 000003
【図２】
0003169910.tif 000004
(57)【要約】      （修正有）【課題】デザイン性を損なわないように、かつ、使用者が容易にアロマオイルを携帯することができるジュエリーおよびペンダントを提供する。【解決手段】金属製の収納室２をジュエリー又はペンダント本体１の背面に設け、アロマオイルを含有させた含有物を収納する。体温によってアロマオイルを気化させる。【選択図】図５
0003169905.tif 000002
【実用新案登録請求の範囲】
【請求項１】
本体の背面にアロマオイルを含有させた含有物を収納するための伝熱性の収納室を有するジュエリー。
【請求項２】
前記収納室は金属製であることを特徴とする請求項１記載のジュエリー。
【請求項３】
前記含有物は綿棒であることを特徴とする請求項１または２記載のジュエリー。
【請求項４】
本体の背面にアロマオイルを含有させた含有物を収納するための伝熱性の収納室を有するペンダント。
【請求項５】
前記収納室は金属製であることを特徴とする請求項４記載のペンダント。
【請求項６】
前記含有物は綿棒であることを特徴とする請求項４または５記載のペンダント。
【考案の詳細な説明】
【技術分野】
【０００１】  本考案は、ジュエリーおよびペンダントに関するものである。
【背景技術】
【０００２】  近年、アロマセラピーの効用が広く普及したことにより、日常生活において、アロマオイル等を使用する人が増えている。しかし、液状のアロマオイルを少しずつ気化させることが必要なため、温熱器等の器具を利用できる室内での利用に限られ、外出時に気軽に楽しむことが困難であった。
【先行技術文献】
【０００３】
【特許文献】
【特許文献】実用新案登録第３１２９１９４号
【考案の概要】
【考案が解決しようとする課題】
【０００４】  上記に述べた先行技術文献では、特別の金属粗体を用いて、ネジ止め、接着剤により接着、圧力による装着を必要とする。そのため特別な金属粗体、器具、装置が必要となるため、使用が困難である。【０００５】  またアロマオイルの原液は、肌に直接触れると、湿疹、かぶれ等の皮膚トラブルの原因となる可能性が高く、衣服に付着すると染みになってしまう可能性が高い。
本考案はデザイン性を損なわないように、かつ、使用者が容易にアロマオイルを携帯することができるジュエリーおよびペンダントを提供することを目的とする。
【課題を解決するための手段】
【０００６】  ジュエリーおよびペンダントの背面に、アロマオイルを含有するための筒状の伝熱性を有する収納室を設けた。【０００７】  前記収納室は金属製であることが好ましい。【０００８】  前記含有物は、綿棒であることが好ましい。
【考案の効果】
【０００９】  上述のように、ジュエリーおよびペンダントの背面に設けた筒状の収納部にアロマオイルを含有させた含有物、例えば化粧用の綿棒を格納する部分に差し入れることで、体温から伝わった熱で格納室の金属が温められ、これによりオイルが少しずつ気化される。【００１０】  また含有物が容易に出し入れ可能なことにより、使用者が特別な器具装置や特別な技術を必要とすることなく、簡便かつ安全に前述の効果を甘受することができる。【００１１】  さらに、本考案により、アロマオイルの効果を携帯でき、かつジュエリーを身につける際に視覚的だけでなく、嗅覚に作用することで、より精神的満足も得ることができる。
【図面の簡単な説明】
【００１２】
【図１】本考案のアロマオイル収納室つきジュエリーの実施例を示すペンダントの正面図である。
【図２】本考案のアロマオイル収納室つきジュエリーの実施例を示すペンダントの背面図である。
【図３】本考案のアロマオイル収納室つきペンダントの一部断面図である。
【図４】本考案のアロマオイル収納室つきペンダントの装着の様子を示す図である。
【図５】本考案のアロマオイル収納室つきペンダントの装着の様子を示す拡大図である。
【考案を実施するための形態】
【００１３】  図１から図５に示すように、ペンダントは本体１と金属製の収納室２とバチカン３から成る。バチカン３にはチェーン４が通され、本体１が人体の胸部５に装着される。
【００１４】  綿棒６の片方の先端部分にアロマオイルを含有させ、アロマオイルが含有された部分から１センチほどの棒状のところを切断する。このアロマオイルを含有した綿棒６を、ペンダント本体１の背面に設けられた金属製の筒状の収納室２に上部から挿入する。
【００１５】  アロマオイルを含有する綿棒６を金属製の収納室２に挿入したペンダント本体１を身体に装着するために、バチカン３にチェーン４を通し、それを、首からかけ、ペンダント本体１が身体の胸部５の位置にくるようにする。金属製の収納室２が人体の胸部５に接しており、金属製の収納室２は伝熱性があるために、体温が金属製の収納室２に伝わり、その熱がアロマオイルを含有する綿棒６に伝わることで、綿棒に含有されたアロマオイルが気化される。
【００１６】  収納室２はプラチナ、金、銀のいずれか一つが採用される。
【００１７】  なお、本考案はペンダント以外にも、ネックレス、イヤリングにも採用される。
【符号の説明】１  ペンダント本体
２  金属製の収納室
３  バチカン
４  チェーン
５  人体の胸部
６  綿棒（含有物）
【図１】
0003169905.tif 000003
【図２】
0003169905.tif 000004
【図３】
0003169905.tif 000005
【図４】
0003169905.tif 000006
【図５】
0003169905.tif 000007
(57)【要約】      （修正有）【課題】前後方向に適度のクッション性を持ち、低コストで生産可能なノーズパッドを提供する。【解決手段】メガネフレームから延設されているパッドアーム先端に取付けられているパッドボックスに、裏面略中央に突設されている取付け足を挿入して支持される様になっているノーズパッドにおいて、取付け足の根元とパッドボックスの開口部周縁との間に弾性物質を介在させる。【選択図】図１
0003169961.tif 000002
【実用新案登録請求の範囲】
【請求項１】
メガネフレームから延設されているパッドアーム先端に取付けられているパッドボックスに、裏面略中央に突設されている取付け足を挿入して支持される様になっているノーズパッドにおいて、取付け足の根元とパッドボックスの開口部周縁との間に弾性物質を介在させ、表面側が装用者の鼻に接触した際に、クッション性が生じる様にしたことを特徴とするメガネフレームのノーズパッド。
【請求項２】
弾性物質が軟質シリコーンゴム製のＯリングであり、取付け足の根元に凹溝を形成し、該凹溝に前記Ｏリングを嵌め込むと共に、取付け足に長穴状の貫通孔を設け、パッドボックス両側面から該貫通孔にボルトを通すことにより、ノーズパッドを前後方向に移動可能状態でパッドボックスに取付けたことを特徴とする請求項１記載のノーズパッド。
【考案の詳細な説明】
【技術分野】
【０００１】
この考案は、メガネフレームの部材の一つであるノーズパッド、詳しくは、クッション性にすぐれたノーズパッドに関するものである。
【背景技術】
【０００２】
ノーズパッドは、メガネ装用者の顔面に接するメガネフレームの構成部品であり、メガネフレームを正しい位置に保持する重要な働きを担っており、このノーズパッドが不適当な場合は、メガネフレームのズリ落ち等が起こり、装用感を損ない、視力の矯正にも悪影響を与えることになる。
【先行技術文献】
【特許文献】
【０００３】
【特許文献１】なし
【非特許文献】
【０００４】
【非特許文献１】なし
【考案の概要】
【考案が解決しようとする課題】
【０００５】
ノーズパッドがその機能を十分に発揮するには、それ自体適度な柔軟性を持ち、全方向に自由に揺動出来るだけではなく、前後方向にもクッション性を持つことが理想であるが、従来において、この要求に応えられるノーズパッドは少なかった。これは、ノーズパッドが小さな部品であり、あまりコストがかけられないことも理由の一つであった。
又、小さな部品であるので、部品数が増えれば、その組立が面倒となり、耐久性にも問題が生じ、製造コストも高くなってしまうという問題もあった。
【０００６】
この考案は、従来のノーズパッドに関する上記従来の問題点を解決するこを目的とするものであり、簡単な構造ながら、前後方向に適度のクッション性を持ち、低コストで生産可能なノーズパッドを提供せんとするものである。
【課題を解決するための手段】
【０００７】
メガネフレームから延設されているパッドアーム先端に取付けられているパッドボックスに、裏面略中央に突設されている取付け足を挿入して支持される様になっているノーズパッドにおいて、取付け足の根元とパッドボックスの開口部周縁との間に軟質シリコーンゴム製のＯリングなどの弾性物質を介在させ、前後方向にクッション性を持たせることにより、上記課題を解決した。
【考案の効果】
【０００８】
取付け足の根元には弾性体であるシリコーンゴム製のＯリングが嵌め込まれているので、ノーズパッド本体表面側から後方向きの力が加わると、Ｏリングはパッドボックスの開口部の端縁とノーズパッド本体の裏面とで押圧され、このＯリングの弾性によってノーズパッド本体には、クッション性が付与される。従って、このノーズパッドを取付けたメガネフレームを装用した際には、ノーズパッドはクッション性を伴って装用者の鼻に接することになり、すぐれたフィット性及び掛け心地を実現し、メガネフレームを正常位置に効果的に保持させることが出来る効果を有する。又、部品数も少なく、製作も容易で、外観上違和感がなく、耐久性も高い。
【図面の簡単な説明】
【０００９】
【図１】この考案に係るノーズパッドの一実施例の拡大縦断面図。
【図２】同じく、その拡大横断面図。
【図３】同じく、この各構成部分を分解して描いたその拡大斜視図。
【図４】同じく、Ｏリングを嵌め込んだ状態の拡大斜視図。
【考案を実施するための形態】
【００１０】
ノーズパッドの取付け足の根元に、シリコーンゴム製のＯリングなどの弾性体を介在させ、ノーズパッドの裏面とパッドボックスの開口部の端縁とで弾性体を挟み込むことにより、ノーズパッドにクッション性を付与した点に最大の特徴が存する。
【実施例】
【００１１】
図１はこの考案に係るノーズパッドの一実施例の拡大縦断面図。図２はその拡大横断面図である。
【００１２】
図中、１はノーズパッド本体であり、ほぼ平行な長辺２，２と円弧状に湾曲した短辺３，３とからなる略小判形をなしており、その裏面の略中央からは、後方に向かって、角四角柱状をなした取付け足４が突設されている。又、前記取付け足４の根元には、凹溝５が形成されており、この凹溝５には弾性体である軟質シリコーンゴム製のＯリング６が嵌め込まれている。なお、Ｏリング６の径は凹溝５の深さよりも、大きいことが肝要であり、図１に示す様に、Ｏリング６の外側部分は、凹溝５より、はみ出している。更に、取付け足４の両側面間には、前後方向に長い長穴状の貫通孔７があけられており、その両端がパットボックス８の側面１０に軸支されているボルト９をこの貫通孔７に挿通させることにより、取付け足４は前後方向に移動可能状態でパッドボックス８に取付けられている。なお、図中、１１はメガネフレームから延設されたパッドアームであり、パッドボックス８はこのパッドアーム１１の先端に取り付けられている。
【００１３】
この考案に係るノーズパッドは上記の通りの構成を有するものであり、取付け足４の根元には弾性体である軟質シリコーンゴム製のＯリング６が嵌め込まれており、長穴状の貫通孔７を介してパッドボックス８は、前後方向へ移動可能状態で取付けられているので、ノーズパッド本体１の表面側から後方向きの力が加わると、Ｏリング６はパッドボックス８の開口部の端縁１２とノーズパッド本体１の裏面１３とで押圧され、このＯリング６の弾性によってノーズパッド本体１には、クッション性が付与される。従って、このノーズパッドを取付けたメガネフレームを装用した際には、ノーズパッドはクッション性を伴って装用者の鼻に接することになり、すぐれたフィット性及び掛け心地を実現し、メガネフレームを正常位置に効果的に保持させることが出来る効果を有する。又、部品数も少なく、製作も容易で、外観上違和感がなく、耐久性も高い。
【産業上の利用可能性】
【００１４】
視力矯正用のメガネだけではなく、サングラス等にももちろん利用可能である。
【符号の説明】
【００１５】
１．ノーズパッド本体
２．長辺
３．短辺
４．取付け足
５．凹溝
６．Ｏリング
７．貫通孔
８．パッドボックス
９．ボルト
１０．側面
１１．パッドアーム
１２．端縁
１３．裏面
【図１】
0003169961.tif 000003
【図２】
0003169961.tif 000004
【図３】
0003169961.tif 000005
【図４】
0003169961.tif 000006
(57)【要約】      （修正有）【課題】平滑な素材にも吸着できるメモ挟みを提供する。【解決手段】メモ挟み本体１の表面２に挟持部４を設けて、その挟持部にメモ用紙を挟持できるようにし、裏面には多数の吸盤を設けて平滑な素材にも吸着できるようにした。本メモ挟み本体は、裏面に多数の吸盤があるため、平滑な素材、例えば特に女性が日常生活において頻繁に目にする鏡やカレンダーなどにメモ挟みを吸着させることができ、それに挟持されたメモ用紙を見ることで、約束や買物を忘れることがない。【選択図】図１
0003169933.tif 000002
【実用新案登録請求の範囲】
【請求項１】
メモ挟み本体の表面に設けた挟持部にメモ用紙を挟持することができ、本体の裏面には多数の吸盤を設けたことを特徴とするメモ挟み。
【請求項２】
メモ挟み本体がくちびるの形状をなし、上くちびると下くちびるの間にメモ用紙を挟持する挟持部を設けた請求項１のメモ挟み。
【考案の詳細な説明】
【技術分野】
【０００１】
この考案は、平滑な素材にどういう角度でも吸着しメモを挟むことができるメモ挟みに関するものである。
【背景技術】
【０００２】
従来からのメモ挟みは、マグネットタイプのものが広く普及している。したがって、マグネットどうしや鉄などのマグネットにくっつく素材でのメモ挟みの機能は、現状、ほぼ満足される状態である。
【考案の開示】
【考案が解決しようとする課題】
【０００３】
しかしながら、マグネットタイプのメモ挟みは、鏡やカレンダーなど通常マグネットがつかない素材では、メモ挟みの機能を発揮することができないため、活用できる範囲が限られてしまう。本考案はその欠点を解決するため、平滑な素材にも容易に吸着できるメモ挟みを提供するものである。
【課題を解決するための手段】
【０００４】
本考案はメモ挟み本体の表面に設けた挟持部にメモ用紙を挟持することができ、本体の裏面には多数の吸盤を設けたことで、課題を解決する。
【考案の効果】
【０００５】
本考案のメモ挟み本体は、裏面に多数の吸盤があるため、平滑な素材、例えば特に女性が日常生活において頻繁に目にする鏡やカレンダーなどにメモ挟みを吸着させることができ、それに挟持されたメモ用紙を見ることで、約束や買物を忘れることがない。
【考案を実施するための最良の形態】
【０００６】
図を参照しつつ、本考案を実施するための最良の形態を説明する。
【実施例１】
【０００７】
図１は表面図、図２は裏面図であり、１はメモ挟み本体で２はその表面、３は裏面である。本実施例ではメモ挟み本体１はくちびるの形状をしており、女性の好みに合わせたものであるが、その形状は特に限定されるものではなく、花、鳥など自由に選択できるものである。４は表面２に設けたメモ用紙を挟持するための挟持部であり、本実施例では、上くちびる５と下くちびる６の間に設けた間隙にメモ用紙（図示しない）を差し込むものである。
【０００８】
７は吸盤であり、メモ挟み本体１の裏面３に多数設けてあり、裏面３の縁部に小型の吸盤を多数設けることが好ましい。また、吸盤７は多数あるため、挟持部４から挿入されたメモ用紙を一部の吸盤７で押え、その他の吸盤７は吸着状態を保持することができる。
【０００９】
図３は本発明の他の実施例の断面図であり、メモ挟み本体１が柔軟な材料、例えば合成ゴム、軟質の合成樹脂からなる２つの部材１ａ、１ｂから構成されている。両部材１ａ、１ｂは基板上に相接するように配置されており、その両部材１ａ、１ｂの接触部がその弾力性によりメモ用紙を保持する挟持部４となる。
【００１０】
なお基板８を除き、両部材１ａ、１ｂが接触部９の一部分で結合している構造を採用することもできる。また、２の部材１ａ、１ｂを図１のように上くちびる５、下くちびる６の形状とすることもできる。
【図面の簡単な説明】
【００１１】
【図１】本考案のメモ挟みの表面図
【図２】本考案のメモ挟みの裏面図
【図３】他の実施例の断面図
【符号の説明】
【００１２】
１  メモ挟み本体
２  表面
３  裏面
４  挟持部
７  吸盤
８  基板
９  接触部
【図１】
0003169933.tif 000003
【図２】
0003169933.tif 000004
【図３】
0003169933.tif 000005
(57)【要約】【課題】室内の清掃時、来客時等にのみ小型犬を室内にて一時的に収納するに適した小型犬収納体を提供する。【解決手段】底部１には略直線状の一側縁１ａを備えさせ、該底部１における該一側縁１ａを除く全周縁１ｂには多数本の棒状体７、７・・・を立設し、該棒状体７、７・・・の上端を上端縁杆１３により連結することにより、該一側縁１ａに対応する一側部１５と該上端縁杆１３に囲まれた上端部１７とを開口させてなる小型犬収納体。  【選択図】図１
0003169552.tif 000002
【実用新案登録請求の範囲】
【請求項１】
底部には略直線状の一側縁を備えさせ、該底部における該一側縁を除く全周縁には多数本の棒状体を立設し、該棒状体の上端を上端縁杆により連結することにより、該一側縁に対応する一側部と該上端縁杆に囲まれた上端部とを開口させてなる小型犬収納体。  
【考案の詳細な説明】
【技術分野】
【０００１】
本考案は、小型犬収納体に関するものであり、更に詳しくは、室内で飼育されるトイプードル、ミニチュアダックス等の小型犬を室内にて一時的に収納するための小型犬収納体に係るものである。
【背景技術】
【０００２】
室内で飼育される小型犬用の犬小屋は、例えば実用新案登録第３１０７１７２号公報に示すように、種々のものが知られている。
【先行技術文献】
【特許文献】
【０００３】
【特許文献１】実用新案登録第３１０７１７２号公報
【考案の概要】
【考案が解決しようとする課題】
【０００４】
室内で飼育される小型犬は、例えば飼主が室内の掃除をする際に邪魔になり、或いは、訪れた客に飛びついて客を当惑させる等の問題がある。
【０００５】
従来より知られている上記犬小屋は、小型犬を常時収納しておくためのものであり、室内の清掃時、来客時等にのみ小型犬を室内にて一時的に収納するに適したものではない。
【０００６】
このような状況に鑑み、本考案は、室内の清掃時、来客時等にのみ小型犬を室内にて一時的に収納するに適した小型犬収納体を提供しようとしてなされたものである。
【課題を解決するための手段】
【０００７】
上記課題を解決するために、本考案は、下記の如き小型犬収納体を提供するものである。
【０００８】
底部には略直線状の一側縁を備えさせ、該底部における該一側縁を除く全周縁には多数本の棒状体を立設し、該棒状体の上端を上端縁杆により連結することにより、該一側縁に対応する一側部と該上端縁杆に囲まれた上端部とを開口させてなる小型犬収納体。  
【考案の効果】
【０００９】
本考案による小型犬収納体は、室内の清掃時、来客時等に、開口している一側部を室内の壁面に接触させた状態で小型犬を一時的に収納することができる。図２参照。小型犬収納体内に収納された小型犬は、開口している上端部から飛び出すおそれがない。したがって、飼主が室内の掃除をする際に小型犬が邪魔をし、或いは、小型犬が訪れた客に飛びついて客を当惑させるという問題は解消する。小型犬を小型犬収納体内に収納しておく必要がなくなったときには、該小型犬を開口している上端部から容易に取り出すことができる。
【００１０】
飼主、来客等は、底部の周縁に立設した棒状体間の隙間及び開口している上端部から小型犬を見ることができる。また、小型犬は、棒状体間の隙間から飼主等を見ることができるため、小型犬収納体内に収納されているときにストレス等を感ずることがない。
【図面の簡単な説明】
【００１１】
【図１】図１は、本考案による小型犬収納体の一例を示す斜視図である。
【図２】図２は、同上小型犬収納体の使用状態の一例を示す正面図である。
【考案を実施するための形態】
【００１２】
符号１に示すものは小型犬収納体の底部である。底部１は、好ましくは木製板とする。底部１の上面には、好ましくは、布、革、合成樹脂等のシート３又はクッション５を配設する。
【００１３】
底部１には略直線状の一側縁１ａを備えさせる必要があるが、この点を除き、底部１の平面形状はいかなるものであってもよい。
【００１４】
底部１における略直線状の一側縁１ａを除く全周縁１ｂには多数本の棒状体７、７・・・を立設する。棒状体７、７・・・は、収納すべき小型犬９を通過させない程度の間隔１１を置いて配設する。棒状体７は、好ましくは木製の丸棒とする。
【００１５】
これらの棒状体７、７・・・の上端を上端縁杆１３により連結する。上端縁杆１３は、好ましくは木製の丸棒により形成する。上端縁杆１３は、収納すべき小型犬９が飛び越すことができない程度の高さに位置させることはいうまでもない。
【００１６】
以上により、略直線状の一側縁１ａに対応する一側部１５と上端縁杆１３に囲まれた上端部１７とを開口させる。
【００１７】
なお、図２において、符号１９に示すものは壁、符号２１に示すものは床である。
【００１８】
本考案による小型犬収納体内に小型犬９を収納する際には、例えば図２に示すように、小型犬収納体を開口している一側部１５が壁１９に接触した状態で床２１上に置き、小型犬９を開口している上端部１７より底部１上に収納する。
【符号の説明】
【００１９】
１  底部
１ａ  一側縁
１ｂ  全周縁
３  シート
５  クッション
７  棒状体
９  小型犬
１１  間隔
１３  上端縁杆
１５  一側部
１７  上端部
１９  壁
２１  床
【図１】
0003169552.tif 000003
【図２】
0003169552.tif 000004
(57)【要約】      （修正有）【課題】買い物袋など一般家庭に多く存在する防水袋を尿袋として使用できる尿袋安定具を提供する。【解決手段】上縁部に当て部を設け下部周面に雄ネジを設けた排尿パイプ３と、前記雄ネジに対応する雌ネジを設けた挟着ナット５とよりなり、排尿パイプの雄ネジと、挟着ナットの雌ネジの間に尿袋６の上部口縁部を挟着自在として尿袋安定具を形成する。使用に際しては、尿袋６の上部口縁部を挟着ナット５に挿通し、挿通した尿袋６内に排尿パイプ３を挿入し、雄ネジを挟着ナット５の雌ネジにねじ込み尿袋６を挟着する。使用後は尿が漏れないように尿袋を排尿パイプ３、挟着ナット５の下側で閉じ、排尿パイプ３と挟着ナット５を解いて貯尿された尿袋６を取り出し、捨てる。【選択図】図３
0003169530.tif 000002
【実用新案登録請求の範囲】
【請求項１】
上縁部に当て部を設け下部周面に雄ネジを設けた排尿パイプと、前記雄ネジに対応する雌ネジを設けた挟着ナットとよりなり、排尿パイプの雄ネジと、挟着ナットの雌ネジの間に尿袋の上部口縁部を挟着自在とした尿袋安定具。
【考案の詳細な説明】
【技術分野】
【０００１】
本考案は車に乗っているときなどのようなときにトイレとして使用する尿袋の安定具に関するものである。
【背景技術】
【０００２】
本考案は、主に自動車などトイレ設備のない乗物に乗車する等の時に携帯し、緊急時に使用するに便利なトイレ用の尿袋安定具に関するものであるが、一般に市販されている簡易、携帯トイレは嵩張るとか、携帯トイレなどにセットされている尿袋は使い捨てとなるため新しいものを補充しなければならず、結果的には高価なものとなる。そこで一般家庭等に多く存在する買い物袋などの防水性袋を有効に使用でき嵩張らないようなトイレ装置が望まれている。
【考案の開示】
【考案が解決しようとする課題】
【０００３】
そこで本考案は、買い物袋など一般家庭に多く存在する防水袋を尿袋として使用できる尿袋安定具を提供しようとするものである。
【課題を解決するための手段】
【０００４】
上縁部に当て部を設け下部周面に雄ネジを設けた排尿パイプと、前記雄ネジに対応する雌ネジを内設した挟着ナットとよりなり、排尿パイプの雄ネジと、挟着ナットの雌ネジの間に尿袋の上部口縁部を挟着自在としたものである。
【考案の効果】
【０００５】
本考案の効果として、買い物袋など一般家庭に多く存在する防水袋を緊急時の尿袋として簡単、容易に使用することができ、且つ通常自動車などで持ち歩くのは排尿パイプと挟着ナットのみで嵩張らず、周囲にある買い物袋などの防水袋を尿袋として簡単に転用することができ便利である。
【図面の簡単な説明】
【０００６】
【図１】本考案に係る尿袋安定具の部分断面説明図
【図２】当て部の部分断面説明図
【図３】使用状態説明図
【実施例】
【０００７】
上縁部に当て部１を設け、下部周面に雄ネジ２を設けた排尿パイプ３と、前記雄ネジ２に対応する雌ネジ４を内設した挟着ナット５とよりなり、排尿パイプ３の雄ネジ２と、挟着ナット５の雌ネジ４の間に尿袋６の上部口縁部を挟着自在としたものである。
当て部１の形状は女用としては図２のものが望ましい。又挟着ナット５の表面には凹凸７を設けておき回転操作をしやすくするのがよい。
【０００８】
使用に際しては図３に示すように先ず買い物袋などの防水袋を尿袋６として上部口縁部を挟着ナット５に挿通し、挿通した尿袋６内に排尿パイプ３を挿入し、雄ネジ３を挟着ナット５の雌ネジ４にねじ込み尿袋６を挟着する。使用後は尿が漏れないように尿袋を排尿パイプ３、挟着ナット５の下側で閉じ、排尿パイプ３と挟着ナット５を解いて貯尿された尿袋６を取り出し、捨てる。
【０００９】
本案は以上のような構造となっているので、組立作業も簡単にでき、しかも一般家庭などに多く存在する防水袋を尿袋として使用できるので安価に使用できる。又嵩張らないので携帯にも便利である。
【符号の説明】
【００１０】
１：当て部
２：雄ネジ
３：排尿パイプ
４：雌ネジ
５：挟着ナット
６：尿袋
７：凹凸部
【図１】
0003169530.tif 000003
【図２】
0003169530.tif 000004
【図３】
0003169530.tif 000005
【手続補正書】
【提出日】平成23年5月30日(2011.5.30)
【手続補正１】
【補正対象書類名】図面
【補正対象項目名】図１
【補正方法】変更
【補正の内容】
【図１】
0003169530.tif 000006
(57)【要約】      （修正有）【課題】ストロー等の装飾対象物をデザインで差別化することができる装飾具を提供する。【解決手段】装飾対象物１６に対して着脱自在に設けられる装飾具１０であって、軸方向に沿って開口部が形成されて周方向に弾性変形可能な筒状部材から成るクリップ本体１１と、クリップ本体１１の外面に形成された係合部１４を介してクリップ本体１１に着脱可能に取り付けられる装飾体１２と、を備えている。【選択図】図１
0003169512.tif 000002
【実用新案登録請求の範囲】
【請求項１】
装飾対象物に対して着脱自在に設けられる装飾具であって、
軸方向に沿って開口部が形成されて周方向に弾性変形可能な筒状部材から成るクリップ本体と、
該クリップ本体の外面に形成された係合部を介して前記クリップ本体に着脱可能に取り付けられる装飾体と、を備えていることを特徴とする装飾具。
【考案の詳細な説明】
【技術分野】
【０００１】
本考案は、ストロー等の装飾対象物に対して着脱自在に設けられる装飾具に関するものである。
【背景技術】
【０００２】
一般に、ドリンクスタンドやファーストフード店等において、コップ等の容器に入れられたジュース等の飲料を、容器に直接口を付けずに口に運ぶために、ストローが使用されている。そして、従来のストローとしては、細長い直線筒状タイプが一般的であるが、途中に蛇腹加工を施すことで折り曲げ可能とした「曲がるストロー」や、中間部分を入れ子式にすることで伸長可能とした「伸びるストロー」や、先が二分されて二人で同時に吸い込むようにした「アベックストロー」などが知られている（例えば、非特許文献１参照）。
【先行技術文献】
【非特許文献】
【０００３】
【非特許文献１】楽天市場ショッピングサイトhttp://search.rakuten.co.jp/search/mall/%e3%82%b9%e3%83%88%e3%83%ad%e3%83%bc/-/?scid=s_kwo
【考案の概要】
【考案が解決しようとする課題】
【０００４】
しかしながら、上記した従来のストローは、いずれも、デザイン的には似通っており、ストロー自体のデザインで差別化することは難しいといった問題があった。
【０００５】
本考案は、上記した課題を解決すべくなされたものであり、ストロー等の装飾対象物をデザインで差別化することのできる装飾具を提供することを目的とするものである。
【課題を解決するための手段】
【０００６】
上記した目的を達成するため、本考案は、装飾対象物に対して着脱自在に設けられる装飾具であって、軸方向に沿って開口部が形成されて周方向に弾性変形可能な筒状部材から成るクリップ本体と、該クリップ本体の外面に形成された係合部を介して前記クリップ本体に着脱可能に取り付けられる装飾体と、を備えていることを特徴とする。
【考案の効果】
【０００７】
本考案によれば、装飾対象物をデザインで差別化することができ、装飾対象物の販売促進を図ることができる等、種々の優れた効果を得ることができる。
【図面の簡単な説明】
【０００８】
【図１】本考案の実施の形態に係る装飾具を示す側面図である。
【図２】本考案の実施の形態に係る装飾具のクリップ本体を示す平面図である。
【図３】本考案の実施の形態に係る装飾具の装飾体を示す背面図である。
【考案を実施するための形態】
【０００９】
以下、図面を参照しつつ、本考案の実施の形態に係る装飾具について説明する。ここで、図１は本考案の実施の形態に係る装飾具を示す側面図、図２は本考案の実施の形態に係る装飾具のクリップ本体を示す平面図、図３は本考案の実施の形態に係る装飾具の装飾体を示す背面図である。なお、以下の説明では、本発明の実施の形態に係る装飾具をストローに使用した場合について例示して説明する。
【００１０】
本実施の形態に係る装飾具１０は、軸方向に沿って開口部１３が形成された円筒状部材から成るクリップ本体１１と、クリップ本体１１に着脱可能に取り付けられる装飾体１２と、を備えて構成されている。
【００１１】
クリップ本体１１は、図２に良く示されているように、樹脂製で平面視Ｃ字形状を成しており、周方向に弾性変形可能に形成されている。クリップ本体１１の外面には、開口部１３の反対側の位置に、六角形状の係合部１４が上下２箇所に突設されている。また、クリップ本体１１の内面には、３つの上下に長い突条部１５が均等間隔で突設されており、クリップ本体１１に挿入されるストロー１６がこれらの突条部１５により確実に保持されるようになっている。
【００１２】
装飾体１２は、図３に良く示されているように、人形や動物等の人気キャラクターの形状に形成した樹脂製プレートから成り、その背面は平坦に形成され、該背面のクリップ本体１１の係合部１４に対応する位置にはそれぞれ被係合部１７が突設されている。そして、該各被係合部１７には、六角形状の凹部１８がそれぞれ形成されており、該凹部１８にクリップ本体１１の係合部１４を係合させることにより、装飾体１２がクリップ本体１１に着脱自在に固定されるようになっている。
【００１３】
このように、上記した本考案の実施の形態に係る装飾具１０によれば、ストロー１６にクリップ本体１１を挿通させることにより、装飾体１２をストロー１６の任意の位置に簡単に取り付けることができる。これにより、ストロー１６を、装飾体１２の人気キャラクターによって装飾し、デザインで差別化することができるため、商品である飲料物の販売促進を図ることができる。
【００１４】
また、クリップ本体１１の係合部１４を装飾体１２の被係合部１７の凹部１８に押し込んだり、或いは、互いに引き離したりするだけで、クリップ本体１１に対する装飾体１２の交換作業を簡単に行うことができるため、異なる種類の人気キャラクターの形状に形成した装飾体１２を予め複数用意しておくことで、好みの人気キャラクターの装飾体１２をユーザに選択させることもできる。
【００１５】
なお、上記した実施の形態では、装飾具１０をストロー１６に取り付けた場合について説明したが、これは単なる例示に過ぎず、本発明は、クリップ本体１１の素材や形状及び寸法を変更することにより、例えば、指輪、ネクタイ飾り、イヤリング、筆記用具の飾り、ストラップ、指人形、ナプキンホルダー、インテリア用飾り等、ストロー１６以外の装飾対象物にも適用可能である。
【００１６】
また、上記した本考案の実施の形態の説明は、本考案に係る装飾具における好適な実施の形態について説明しているため、技術的に好ましい種々の限定を付しているが、本考案の技術範囲は、特に本考案を限定する記載がない限り、これらの態様に限定されるものではない。
【００１７】
さらに、上記した本考案の実施の形態における構成要素は適宜、既存の構成要素等との置き換えが可能であり、かつ、他の既存の構成要素との組合せを含む様々なバリエーションが可能であり、上記した本考案の実施の形態の記載をもって、特許請求の範囲に記載された考案の内容を限定するものではないことは言う迄もない。
【符号の説明】
【００１８】
１０          装飾具
１１          クリップ本体
１２          装飾体
１３          開口部
１４          係合部
【図１】
0003169512.tif 000003
【図２】
0003169512.tif 000004
【図３】
0003169512.tif 000005
(57)【要約】      （修正有）【課題】多色式ボールペンの使用頻度の高い色のインク芯のインクだけが早く空になってしまい、いつも使用頻度の低い色のインク芯のインクばかりが残ってしまう不合理さを解決する多色式ボールペンを提供する。【解決手段】黒色、青色といった使用頻度の高いボールペン・インク芯４を太く大きくして容量を他色より増やし、多くの筆記が出来るようにした。本多色式ボールペンは使用頻度の高いインク芯のインクの容量が大きいので長持ちし、バランスよく各色のインクが消費される。【選択図】図１
0003169113.tif 000002
【実用新案登録請求の範囲】
【請求項１】
使用頻度の高い色のボールペン、インク芯の容量を他のインク芯より大きくした1本のボディに2色以上の色のインク芯が入ったボールペン。
【考案の詳細な説明】
【技術分野】
【０００１】
本考案は１本のボディに2色以上の多色のボールペン、インク芯の入った多色式ボールペンに関するものである。
【背景技術】
【０００２】
１本のボディに、黒と赤など２色以上のインク芯の入った多色式ボールペンにおいては、どの色のインク芯も同じ容量だった。
【考案の概要】
【考案が解決しようとする課題】
【０００３】
従来のインク芯がどれも同じ容量の多色式ボールペンにおいては、黒と青といった使用頻度が高い色の芯ほど早くインクが空になり、いつも使用頻度の少ない赤などの色のインクが残り、とても不便で、また赤等のインクが残っているにもかかわらずボールペン一式を新しく購入される人が非常に多くとても不合理であった。
【課題を解決するための手段】
【０００４】
本考案は、黒、青といった使用頻度の高いボールペン・インクの芯を太く大きくして容量を増やす事によって、使用頻度の高い色のインクが長持ちしてどの色もバランスよく消費される。
【考案の効果】
【０００５】
上述の様に、本考案の多色式ボールペンは使用頻度の高いインク芯のインクの容量が大きいので長持ちし、バランスよく各色のインクが消費されるので、従来の様に使用頻度が高い黒や青の色のインクが空になったら、オーナーが多色式ボールペン全体ごと廃棄してしまうと言うとても不合理な事が解決でき、少資源化に役立ち、同時にその多色式ボールペンに愛着を持っていたオーナーも永くそのボールペンを使用できる。
【図面の簡単な説明】
【０００６】
【図１】本考案のポイントとなる多色式ボールペンのインク芯部を示す図である。（２色式の例）。
【考案を実施するための形態】
【０００７】
多色式ボールペンの使用頻度の高い黒や青といった色のインク芯（タンク）を太く大きくして容量を増やし、多くの筆記ができる様にする。
【実施例】
【０００８】
以下、添付図面に従って一実施例を説明する。１は多色式ボールペンのボディ、2はボールペンのクリップ部、3は使用頻度が低い、例えば赤のボールペン、インク芯で細い。4は使用頻度が高い、黒や青といった色のインク芯で太く容量が大きい。５はボールペン芯のボール。６はボディ先端の芯が出てくる開口部で、従来の多色式ボールペンと同様に使いたい色のレバーを押せばその芯が出てくる。
【符号の説明】
【０００９】
１  多色式ボールペンのボディ
２  ボールペンのクリップ部
３  赤色など使用頻度の低い色の細いインク芯
４  黒色、青色などの使用頻度の高い色の大容量インク芯
５  ボールペン芯のボール
６  ボディのボールペン芯の出てくる開口部
【図１】
0003169113.tif 000003
(57)【要約】【課題】２等辺三角形状刃床部３辺全てを有効活用することで、雑草の根起こし、土起こし、土慣らし、草集め、溝掘り等鍬１本で作業効率の向上、農作業の省力化等多くの機能付加を可能にし、さらに立体成形により刃床部を形成することで、薄型、軽量化、かつ、刃床部面の反り，歪を防止し耐久性を向上させた女性や老人が支障なく作業を行える薄型軽量、かつ、強度を保つ鍬を提供することである。【解決手段】２等辺三角形状刃床部長手方向対称軸を中心として、刃床部長辺側の両辺縁を内向きくの字状に成形した第１の屈曲部と、さらに前記第１の屈曲部と十字状に直交する第２の屈曲部を設けたことを特徴とする。【選択図】図１
0003169166.tif 000002
【実用新案登録請求の範囲】
【請求項１】
農作業用鍬であって、２等辺三角形状刃床部長手方向対称軸を中心として、刃床部長辺側の両辺縁を内向きくの字状に成形した第１の屈曲部と、さらに前記第１の屈曲部と十字状に直交する第２の屈曲部を設けたことを特徴とする立体成形鍬。
【請求項２】
前記刃床部長手方向の第１の屈曲部の外角の角度は１５８度以内の適度の角度の形状で、かつ、第２の屈曲部の外角の角度は１７５度以内の適度の角度の形状を特徴とする立体成形鍬。
【考案の詳細な説明】
【技術分野】
【０００１】  本考案は、農耕用または家庭園芸等に使用されている農具に関する。
【背景技術】
【０００２】  従来より農作業または家庭園芸等などに使用される２等辺三角形状の一般的な鍬の刃床部は、金属製の平板状にて頂角が尖鋭状に形成されている。【０００３】  また２等辺三角形状刃床部の対称軸に沿って、刃床部長辺側の両辺縁を内向きに、２次元状に屈曲延設して刃床部部を形成しているものもある。
【考案の開示】
【考案が解決しようとする課題】
【０００４】  以上に述べた一般的な平板状三角形状鍬は、耕作または除草作業時の打ち込み衝撃等により刃床部面の反り，歪等が発生して長年使用の耐久性に問題があり、鍬の強度を保つためには平板状の刃床部材が厚く重くなっていた。【０００５】  また、２等辺三角形状刃床部の対称軸に沿って、刃床部長辺側の両辺縁を内向きに屈曲延設して２次元状に刃床部を形成し強度を得ている鍬については、２等辺三角形状刃床部底辺側の辺縁が、くの字状に屈曲してしまうため、刃床部底辺側にての耕作作業機能が損なわれていた。【０００６】  本考案は、このような従来の構造が有していた問題を解決しようとするものであり、２等辺三角形状刃床部３辺全てを有効活用することで、雑草の根起こし、土起こし、土慣らし、草集め、溝掘り等本考案鍬１本で作業効率の向上、農作業の省力化等多くの機能付加を可能にし、さらに立体成形により刃床部を形成することで、薄型、軽量化、かつ、刃床部面の反り，歪を防止し耐久性を向上させた立体成形鍬を提供することを目的とする。【０００７】  また金型でプレス成形することにより量産化が可能となり、安価な製品を提供できることとなる。
【課題を解決するための手段】
【０００８】  本考案は、上記目的を達成するために、２等辺三角形状刃床部長手方向対称軸を中心として、刃床部長辺側の両辺縁を内向きくの字状に成形した第１の屈曲部と、さらに前記第１の屈曲部と十字状に直交する第２の屈曲部を設ける。
【考案を実施するための形態】
【０００９】  以下、図面に示す本考案の実施の形態について説明する。図１〜図３は、本考案の実施の形態が示されていて、刃床部はステンレス等の金属板を立体成形することにより、２等辺三角形形状の刃床部を形成する。
【００１０】  立体成形形状の第１の屈曲部１は、２等辺三角形状刃床部長手方向対称軸を中心として刃床部長辺側の両辺縁３を内向きに１６ｃｍ以内の適度な長さでくの字状に屈曲成形し延設する。さらに刃床部短手方向に前記第１の屈曲部１と十字状に直交する第２の屈曲部２を刃床部底辺側辺縁４を内向きに７ｃｍ以内の適度な長さで延設屈曲成形する。
【００１１】  上記考案において、刃床部長手方向の第１の屈曲部の外角の角度は１５８度以内の適度の角度の形状で、かつ、第２の屈曲部の外角の角度は１７５度以内の適度の角度の形状にする。
【００１２】  前記、２等辺三角形形状刃床部の頂角は尖鋭状に形成し、刃床部長辺側の両辺縁３は、鋸歯状のギザギザ歯または直線の刃状等用途に応じ両辺縁それぞれ任意形状に形成し、刃床部底辺側辺縁４は、熊手状に複数の長い爪を金属板に形成し設ける。
【００１３】  柄部５は、木材等の適宜素材の長尺棒体であり、金属製の中空管状に形成されたパイプ６に、柄５の長手方向の一端側を圧入し嵌合形成する。
【００１４】  パイプ６に圧入した柄部５に、金属製の平板状保持部材７の片側一端側を差し込み、さらに金属製の平板状保持部材７の残る一端側を刃床部本体裏側に溶接接合し支持固定する。
【００１５】  なお、本考案は上記説明した考案の素材に限定されるものではなく、本考案の目的及び効果を生じる範囲で素材等を必要に応じて適宜変更して実施することも可能である。
【００１６】  また部材の寸法に関しても、本考案の目的及び効果を生じる範囲内で必要に応じて適宜変更して実施することも可能である。
【考案の効果】
【００１７】  上述したように本考案は、立体成形により第１、第２の屈曲部を設けることで２等辺三角形状刃床部３辺が直線状となり、２等辺三角形形状刃床部の頂角部は尖鋭状に、刃床部長辺側の両辺縁はに鋸歯状のギザギザ歯または直線の刃等用途に応じた任意の形状に、さらに刃床部底辺側辺縁は熊手状の複数の長い爪状に形成する等、２等辺三角形３辺それぞれ異なる形状の歯に形成することで耕作地の状況、用途に応じた雑草の根起こし、草刈り，土起こし、土慣らし、草集め、溝掘り等本考案鍬１本で作業効率の向上、農作業の省力化等多くの機能付加を可能にする実用性に秀れた耕作具となる。
【００１８】  また立体成形することにより、刃床部材の薄型軽量化、かつ、刃床部面の反り，歪を防止して強度を強化し、耐久性を向上させ、女性や老人が支障なく立姿で農作業を行うことができ、耕作労力が軽減されると共に長期間の使用に耐える農耕用鍬を提供できる。
【００１９】  さらに、金型でプレス成形することにより短時間の量産が可能となり安価な製品を提供できることとなる。
【図面の簡単な説明】
【００２０】
【図１】  本考案の斜視図
【図２】  本考案の側面図
【図３】  本考案の断面図
【符号の説明】
【００２１】  １  第１の屈曲部
２  第２の屈曲部
３  刃床部長辺側両辺縁
４  刃床部底辺側辺縁
５  柄部
６  パイプ
７  保持部
【図１】
0003169166.tif 000003
【図２】
0003169166.tif 000004
【図３】
0003169166.tif 000005